(57)【要約】      （修正有）【課題】災害時は毛布として使用できると同時に、救助人が１人であっても、被救助人を迅速に安全な場所まで緊急避難させることができ、コスト安に製造できる災害救助用毛布を提供する。【解決手段】寝装品である毛布本体２の足側の縁部２ｂに、足止め部２ｅが形成され、毛布本体２の頭側の縁部２ａに、毛布本体２を引きずって移動可能な持ち手穴２ｆが形成されている。持ち手穴２ｆの周囲に蓄光若しくは蛍光部材が設けられている。足止め部２ｅは、毛布本体２の足側の縁部２ｂを頭側の方向に折り返して浅い袋状に縫着されている。毛布本体２の足側と両側の各縁部２ｃ，２ｄに、持ち手穴２ｈ，２ｉがさらに形成されている。【選択図】図１
0003187169.tif 000002
【実用新案登録請求の範囲】
【請求項１】
寝装品である毛布本体の足側の縁部に形成された足止め部と、前記毛布本体の頭側の縁部に形成され、前記毛布本体を引きずって移動可能な持ち手穴とを有することを特徴とする災害救助用毛布。
【請求項２】
前記持ち手穴の周囲に蓄光若しくは蛍光部材が設けられていることを特徴とする請求項１に記載の災害救助用毛布。
【請求項３】
前記足止め部は、前記毛布本体の足側の縁部を頭側の方向に折り返して浅い袋状に縫着されていることを特徴とする請求項１または２に記載の災害救助用毛布。
【請求項４】
前記毛布本体の足側と両側の各縁部に、持ち手穴がさらに形成されていることを特徴とする請求項１〜３のいずれか一項に記載の災害救助用毛布。
【請求項５】
前記毛布本体は、保存時は偏平に折り畳まれ、保存袋に収納された状態で真空パックにより、さらに偏平に圧縮されて保存されていることを特徴とする請求項１〜４のいずれか一項に記載の災害救助用毛布。
【考案の詳細な説明】
【技術分野】
【０００１】
本考案は、災害救助用毛布に関する。
【背景技術】
【０００２】
従来、図５（ａ）のように、四隅に隅手掛孔２０を、両側に中手掛孔２１をそれぞれ設けた緊急避難用敷物２２がある（特許文献１参照）。
【０００３】
かかる緊急避難用敷物２２は、火災や地震等の災害時に、例えば寝たきり等の被救助人を緊急避難させる際の担架として転用できるようにもしたものである。
【０００４】
すなわち、両端の２人の救助人が左右の隅手掛孔２０にそれぞれ手を掛けることにより、計２人で被救助人を運ぶことができる。また、人員に余裕があれば、両側の２人の救助人が中手掛孔２１にそれぞれ手を掛けて、計４人で被救助人を運ぶことができる。
【０００５】
一方、図５（ｂ）のように、軟質シート材に頭部固定部２４と胴部固定部２５と脚部固定部２６とを設けるとともに、担架搬送ベルト２７を設けた担架２８がある（特許文献２参照）。
【０００６】
また、図６（ａ）のように、布製の担架本体３０を引っ張るための牽引ベルト３１と取っ手３２と足ポケット３３を設けるとともに、担架本体３０の両側に、棒状体３４を挿入するための長尺筒状部３５を設けた担架３６がある（特許文献３参照）。
【０００７】
さらに、図６（ｂ）のように、本体シート３８の左右縁部に設けた中空円筒状の把持部３９に、担棒または搬送者の手首を挿通させる挿通孔４０を形成するとともに、負傷者の足または頭を収容するカバー４１を設けた担架４２がある（特許文献４参照）。
【先行技術文献】
【特許文献】
【０００８】
【特許文献１】特開２００１−１６１７４９号公報
【特許文献２】特開２００９−５７２７号公報
【特許文献３】実用新案登録第３１６４６６１号公報
【特許文献４】実用新案登録第３１８４０５１号公報
【考案の概要】
【考案が解決しようとする課題】
【０００９】
しかしながら、特許文献１の緊急避難用敷物２２、特許文献２，４の担架２８，４２では、災害の混乱時に、多数の被救助人がいるような場合、１人の被救助人を４人の救助人で運ぶことはもちろん、２人の救助人で運ぶこともできないことが多々ある。
【００１０】
そのため、救助人が１人であっても、被救助人を迅速に安全な場所まで緊急避難させることができるものが要望されている。
【００１１】
ここで、特許文献３の担架３６は、牽引ベルト３１を引っ張ることで、救助人が１人であっても、被救助人を迅速に安全な場所まで緊急避難させることが可能であるが、担架専用である。
【００１２】
そのため、特許文献２〜４の専用の担架２８，３６，４２は、構造が複雑でコスト高である（特許文献３，４では直棒や担棒を取付けることが想定されている。）。そのため、経費の点から大量にストックしておくことができないので、災害時に不足するという事態が生じる。
【００１３】
また、担架専用であるから、保管場所を忘れていると、緊急避難に間に合わないという事態も生じる。
【００１４】
本考案は、前記要望に応えるためになされたもので、災害時は毛布として使用できるとともに、救助人が１人であっても、被救助人を迅速に安全な場所まで緊急避難させることができ、コスト安に製造できる災害救助用毛布を提供することを目的とするものである。
【課題を解決するための手段】
【００１５】
前記課題を解決するために、本考案の災害救助用毛布は、寝装品である毛布本体の足側の縁部に形成された足止め部と、前記毛布本体の頭側の縁部に形成され、前記毛布本体を引きずって移動可能な持ち手穴とを有することを特徴とするものである。
【００１６】
本考案によれば、寝装品である毛布本体は、災害時は毛布として使用できる。また、災害時以外であっても、寝たきりの人のベッド等に、通常の毛布と同様に、常に敷いておくこともできる。
【００１７】
そして、火災や地震等の災害時には、毛布本体の上に被救助人を寝かせ、１人の救助人が頭側の持ち手穴を手で持って、寝かせた被救助人とともに毛布本体を引きずりながら、迅速に安全な場所まで緊急避難させることができる。この引きずりの際、足止め部を有することで被救助人が足側からずり落ちることがない。したがって、救助人が１人だけであっても、毛布本体を引きずりながら、被救助人を安全な場所まで緊急避難させることができるのである。
【００１８】
さらに、基本的には、毛布本体に足止め部と持ち手穴を形成するだけであるから、コストが安価になる（市販されている２本の直棒を用いた専用の担架の約１／１０）。しかも、災害時以外には折り畳んでコンパクトに保管可能であるので、老人ホームや病院等に大量にストックしておくこともできる。そのため、災害時の緊急避難に役立つ毛布が不足するという事態が生じにくくなる。
【００１９】
前記持ち手穴の周囲に蓄光若しくは蛍光部材が設けられている構成とすることができる。
【００２０】
この構成によれば、災害と同時に停電が発生して周囲が暗闇となっても、毛布本体の持ち手穴の周囲は蓄光若しくは蛍光部材により発光しているから、救助人は持ち手穴を目視できるので、緊急避難行動を迅速に行えるようになる。
【００２１】
前記足止め部は、前記毛布本体の足側の縁部を頭側の方向に折り返して浅い袋状に縫着されている構成とすることができる。
【００２２】
この構成によれば、足止め部は、毛布本体の足側の縁部を頭側の方向に折り返して浅い袋状に縫着しているから、被救助人は足止め部に足を入れるだけで、ずり落ちないようになる。また、毛布本体の足側の縁部を折り返して縫着するだけであるから、別部品が不要でコストも安くなる。
【００２３】
前記毛布本体の足側と両側の各縁部に、持ち手穴がさらに形成されている構成とすることができる。
【００２４】
この構成によれば、複数の持ち手穴を利用して、担架として複数の救助人で被救助人を運ぶこともできる。
【００２５】
前記毛布本体は、保存時は偏平に折り畳まれ、保存袋に収納された状態で真空パックにより、さらに偏平に圧縮されて保存されている構成とすることができる。
【００２６】
この構成によれば、毛布本体は、災害時以外には折り畳んで、真空パックにより偏平に圧縮することで、嵩を減らしてコンパクトにかつ劣化等を防止して保管することができる。
【考案の効果】
【００２７】
本考案によれば、災害時は毛布として使用できるとともに、救助人が１人であっても、被救助人を迅速に安全な場所まで緊急避難させることができ、コスト安に製造できる。
【図面の簡単な説明】
【００２８】
【図１】本考案に係る災害救助用毛布であり、（ａ）は平面図、（ｂ）は側面図である。
【図２】持ち手穴であり、（ａ）は平面図、（ｂ）は側面断面図、（ｃ）は変形例１の平面図、（ｄ）は変形例２の平面図である。
【図３】（ａ）は毛布本体を収納した保存袋の平面図、（ｂ）は複数個の保存袋を積み重ねた側面図である。
【図４】（ａ）は毛布本体を１人の救助人が引きずって使用している状態の斜視図、（ｂ）は毛布本体を４人の救助人が担架として運んでいる状態の斜視図である。
【図５】（ａ）は特許文献１の緊急避難用敷物の平面図、（ｂ）は特許文献２の担架の斜視図である。
【図６】（ａ）は特許文献３の担架の平面図、（ｂ）は特許文献４の簡易担架の使用状態の斜視図である。
【考案を実施するための形態】
【００２９】
以下、本考案を実施するための形態について、図面を参照しながら詳細に説明する。図１は災害救助用毛布１であり、（ａ）は平面図、（ｂ）は側面図である。
【００３０】
災害救助用毛布１は、寝装品である通常の毛布と同様に、略長方形状の毛布本体２を備えている。毛布本体２は、例えば、長さＬが２００ｃｍ、幅Ｗが１４０ｃｍ、厚さＴが６ｍｍ、重量が１．３〜１．６Ｋｇである。なお、後述するように緊急避難に使用することを考慮して、通常の毛布よりも織り糸の密度を増やすことで強度を向上させている。また毛布本体２は、抗菌処理と防炎処理とを施している。
【００３１】
毛布本体２の長さ方向の足側（図１では右側）の縁部２ｂには足止め部２ｅが形成されている。また、毛布本体２の頭側（図１では左側）の縁部２ａには、幅方向の中央寄りに、毛布本体２を引きずって移動可能な複数個（本例では２個）の持ち手穴２ｆが形成されている。
【００３２】
また、毛布本体２の足側の縁部２ｂには、幅方向の中央寄りに、複数個（本例では２個）の持ち手穴２ｇが形成され、両側の縁部２ｃ，２ｄには、複数個（本例では各側４個）の持ち手穴２ｈ，２ｉが形成されている。
【００３３】
足止め部２ｅは、毛布本体２の足側の縁部を頭側の方向に折り返して、両端部を縫着することで浅い袋状に形成されている。この足側の縁部２ｂの持ち手穴２ｇは、足止め部２ｅの上下２枚の毛布部分を貫通するように形成されている。なお、足止め部２ｅは、毛布本体２の足側の縁部を頭側の方向に折り返した袋状に限られるものではなく、別布を縫着して袋状に形成したものでもよい。また、両足部分がそれぞれ入るサック状のものでもよい。
【００３４】
各持ち手穴２ｆ〜２ｉの内周囲は、図２（ａ）（ｂ）のように、補強テープ３で補強されている。この補強テープ３の全周囲は、毛布本体２に蓄光糸（蓄光部材）４で縫着されている。この蓄光糸は、蓄光剤等を混ぜた樹脂製糸であり、太陽光や蛍光灯等の紫外線を蓄えて、暗闇で発光するものである。また、縫着糸や補強テープ３に蛍光塗料を塗布してもよい（蛍光部材）。なお、補強テープ３自体を蓄光糸で縫製することで、蓄光部材とすることもできる。
【００３５】
図２（ｃ）のように、各持ち手穴２ｆ〜２ｉの内周囲は、補強テープ３に代えて、刺繍およびかがり糸５で補強することもできる。また、図２（ｄ）のように、ボタンホール状のスリット穴をかがり糸５で補強することもできる。ボタンホール状のスリット穴であれば、毛布として使用しているときは、各持ち手穴２ａ〜２ｉがほぼ塞がれる。なお、かがり糸５を蓄光糸（蓄光部材）とすることができる。
【００３６】
毛布本体２は、保存時は、例えば幅方向に２つ折りされ、さらに長さ方向に４つ折りされることで、偏平に折り畳まれている。そして、図３（ａ）のように、防湿製の保存袋６に収納された状態で真空パックにより、さらに偏平に圧縮されて嵩を減らして保存されている。
【００３７】
前記のような災害救助用毛布１であれば、寝装品である毛布本体２は、災害時は毛布として使用できる。各持ち手穴２ｆ〜２ｉの開口面積は、毛布本体２の全面積から見れば僅かなものであり、寝装具として使用することに支障はない。
【００３８】
そのため、災害時以外であっても、寝たきりの人のベッド等に、通常の毛布と同様に、常に敷いておくこともできる。この使用形態であれば、災害時に、災害救助用毛布１を探し出す手間や、次述するように毛布本体２の上に被救助人Ｐ１を寝かせる手間が省ける。
【００３９】
そして、火災や地震等の災害時には、図１（ｂ）のように、毛布本体２の上に被救助人Ｐ１を寝かせる。ついで、図４（ａ）のように、１人の救助人Ｐ２が頭側の持ち手穴２ｆを手で持って、寝かせた被救助人Ｐ１とともに毛布本体２を引きずりながら、迅速に安全な場所まで緊急避難させることができる。
【００４０】
この引きずりの際、足止め部２ｅを有することで被救助人Ｐ１が足側からずり落ちることがない。したがって、救助人Ｐ２が１人だけであっても、毛布本体２を引きずりながら、被救助人Ｐ１を安全な場所まで緊急避難させることができるのである。
【００４１】
さらに、基本的には、毛布本体２に足止め部２ｅと持ち手穴２ｆを形成するだけであるから、コストが安価になる（市販されている２本の直棒を用いた専用の担架の約１／１０）。しかも、災害時以外には折り畳んでコンパクトに保管可能であるので、老人ホームや病院等に大量にストックしておくこともできる。そのため、災害時の緊急避難に役立つ毛布本体２が不足するという事態が生じにくくなる。
【００４２】
また、災害と同時に停電が発生して周囲が暗闇となっても、毛布本体２の持ち手穴２ｆ〜２ｉの周囲は蓄光糸４により発光しているから、救助人Ｐ２は持ち手穴２ｆ〜２ｉを認識できるので、緊急避難行動を迅速に行えるようになる。
【００４３】
さらに、足止め部２ｅは、毛布本体２の足側の縁部を頭側の方向に折り返して浅い袋状に縫着しているから、被救助人Ｐ１は足止め部２ｅに足を入れるだけで、ずり落ちないようになる。さらにまた、毛布本体２の足側の縁部を折り返して縫着するだけであるから、別部品が不要でコストも安くなる。
【００４４】
また、毛布本体２の足側にも持ち手穴２ｇを形成すれば、担架として２人の救助人Ｐ２で被救助人を運ぶこともできる。さらに、毛布本体２の両側にも持ち手穴２ｈ，２ｉを形成すれば、図４（ｂ）のように、担架として４人の救助人Ｐ２で被救助人を運ぶこともできる。このような担架として使用する場合、２本の直棒を用いた担架とは異なり、毛布本体２は柔軟性を有していることから、狭い階段の踊り場やエレベータ内でも曲がりやすいので、被救助人をスムーズに運ぶことができる。しかも、階段途中で毛布本体２が上下方向に斜めになったとしても、被救助人Ｐ１の足を下側としておけば、被救助人Ｐ１は足止め部２ｅでずり落ちないようになる。
【００４５】
さらに、毛布本体２は、災害時以外には折り畳んで、保存袋６に収納した状態で真空パックにより偏平に圧縮することで、図３（ｂ）のような１０枚の保存袋６を段ボール箱７等に入れる。これにより、嵩を減らしてコンパクトにかつ劣化等を防止して保管することができる。また、この段ボール箱７等を目に付きやすい位置に置いておけば、火災や地震等の災害時に直ちに取り出して、毛布として、または被救助人Ｐ１を運ぶために使用することができる。
【００４６】
前記のようなサイズ例で災害救助用毛布１のサンプルを作成し、「一般財団法人ケケン試験認証センター」に耐久性について試験を依頼した（平成２５年６月１３日  依頼番号  ＫＳ−１１３３）。
【００４７】
４人の救助人Ｐ２で被救助人Ｐ１を運ぶことを想定して、被救助人Ｐ１の荷重を８０Ｋｇとして３０秒の持ち上げ操作、３０秒の足踏み操作を３回繰り返した試験では、持ち手穴２ｆ〜２ｉに伸びが見受けられたが、破損には至らないという試験結果であった。
【００４８】
また、持ち手穴２ｆ〜２ｉの引張強度試験では、破断時の数値が約９００Ｋｇであった。これらのことから、緊急避難用としては、充分な耐久性が確保されている。
【符号の説明】
【００４９】
１    災害救助用毛布
２    毛布本体
２ａ  頭側の縁部
２ｂ  足側の縁部
２ｃ，２ｄ  両側の縁部
２ｅ  足止め部
２ｆ〜２ｉ  持ち手穴
３    補強テープ
４    蓄光糸（蓄光部材）
５    かがり糸
６    保存袋
【図１】
0003187169.tif 000003
【図２】
0003187169.tif 000004
【図３】
0003187169.tif 000005
【図４】
0003187169.tif 000006
【図５】
0003187169.tif 000007
【図６】
0003187169.tif 000008